(57)【要約】【課題】  室内、水などのイオン状態を改善する。【解決手段】  １台のマイナスイオン放電機と、前記マイナスイオン放電機の出力端に接続された複数の電極棒とを含み、前記マイナスイオン放電機を室内の一側または一隅に安置し、前記電極棒を室内空間の上方または水中にぶら下げてなることを特徴とするイオン調和装置。【選択図】図１
2005125256.tif 000002
【特許請求の範囲】
【請求項１】
マイナスイオン放電機と、前記マイナスイオン放電機の出力端に接続された複数の電極棒とを含み、該マイナスイオン放電機を室内の一側または一隅に安置し、該電極棒を室内空間の上方にぶら下げてなることを特徴とするイオン調和装置。
【請求項２】
前記マイナスイオン放電機の出力端に接続された複数の電極棒は棒体をなし、その外周は多数の孔を有する絶縁体で覆われてなることを特徴とする請求項１記載の調和装置。
【請求項３】
マイナスイオン放電機と該マイナスイオン放電機の出力端に接続された電極とを含み、該電極が米を載置できる金網であることを特徴とする米の糖度増加用装置。
【請求項４】
マイナスイオン放電機と該マイナスイオン放電機の出力端に接続された電極とを含み、該電極は飲料水に浸漬できるように棒状であることを特徴とする水のイオン調和装置。
【請求項５】
請求項４に記載のイオン調和装置によって得られた水によって、野菜や果物を洗浄することを特徴とする野菜または果物の水洗方法。
【請求項６】
マイナスイオン放電機と該マイナスイオン放電機の出力端に接続された電極とを含み、該電極は風呂水に浸漬できるように棒状であることを特徴とする水のイオン調和装置。
【発明の詳細な説明】
【技術分野】
【０００１】
本発明は、室内空間または水のイオン調和装置に関し、特に、室内空間におけるイオンの状態を調節し、室内の居住環境を改善できる室内空間のイオン調和装置または水のイオン調和装置に関する。
【背景技術】
【０００２】
人間の生存状態は悉く、エネルギーに支配されていることはよく知られている。例えば、仕事の場所、日常居住する住宅や空間におけるエネルギー状態は、人間に密接に関係があるものである。自然界の物質は、みな帯電したイオンにより構成されている。例えば、食塩の成分はＮａｃｌであり、そのなかでＮａは正（＋）に荷電したＮａイオンであり、ｃｌは負（−）に荷電したｃｌイオンである。一般に、自然界の物質中において、金属と水素のイオンは正（＋）の電荷を持ち、その濃度が高くなれば、それに対応したマイナスイオンを消費する。このため、居住の空間環境を調節するために、マイナスイオンを補充することは大いに利益がある。
（１）  そして、室内のマイナスイオンが少なくなればエネルギーも低くなり、建物内に居住する人間に対して以下に示す悪影響が生ずる。
【０００３】
建物の壁、窓などの結露しやすい浴室、台所、便所の壁や窓などは、このためカビが発生する。梅雨期には特に甚しい。
（２）  建物が上述の状態になれば、ゴキブリ、シロアリ、ノミなどの害虫発生の温床となり、室内に異臭を生じ、また陰湿になる。
（３）  上述の状態の建物内で生活する居住者は抵抗力が弱くなり、風邪を引けば直りにくく、特に喘息になりやすい。
【０００４】
以上の事情に鑑み、建物内におけるエネルギー状態の悪化による種々の欠点を改善せんがため、本発明者は長年に渡る苦心の結果、遂に室内空間および水中のイオン調和装置の開発の成功に至ったのである。
【発明の開示】
【発明が解決しようとする課題】
【０００５】
本発明の目的は、上記の問題点を解消し、室内空間のイオン濃度を好適な状態に調節し、室内を生活に最適な状態にする室内空間のイオン調和装置を提供することにある。
【０００６】
また本発明の目的は、室内空間のイオン濃度を好適な状態にして、壁、窓などの結露、そして浴室、台所、便所の壁や窓のカビの発生、さらにこれに原因するゴキブリ、シロアリ、ノミなどの害虫の発生を防止できる室内空間のイオン調和装置を提供することにある。
【０００７】
さらに本発明の目的は、室内空間のイオン濃度を好適な状態に調節し、居住環境を良好にして居住者の疾病に対する抵抗力を増強し、感冒や喘息の罹患を抑制できる室内のイオン調和装置を提供することにある。
【０００８】
本発明の目的は、糖度の低下した米の糖度を増加させる装置を提供することにある。
【０００９】
また本発明の目的は、水のイオン状態を調和する装置及びその利用方法を提供することにある。
【課題を解決するための手段】
【００１０】
本発明は、マイナスイオン放電機と、前記マイナスイオン放電機の出力端に接続された複数の電極棒とを含み、前記マイナスイオン放電機を室内の一側または一隅に安置し、前記電極棒を室内空間の上方にぶら下げてなることを特徴とするイオン調和装置、に関する。
【００１１】
また本発明は、マイナスイオン放電機と該マイナスイオン放電機の出力端に接続された電極とを含み、該電極が米を載置できる金網であることを特徴とする米の糖度増加用装置、に関する。
【００１２】
さらに本発明は、マイナスイオン放電機と該マイナスイオン放電機の出力端に接続された電極とを含み、該電極は飲料水に浸漬できるように棒状であることを特徴とする水のイオン調和装置、に関する。
【００１３】
本発明は、マイナスイオン放電機と該マイナスイオン放電機の出力端に接続された電極とを含み、該電極は風呂水に浸漬できるように棒状であることを特徴とする水のイオン調和装置、に関する。
【発明の効果】
【００１４】
本発明による室内空間のイオン調和装置は確実に居住空間のイオン状態を改善する効能があり、居住者の健康増進に寄与する。
【００１５】
本発明による米の糖度増加用装置によれば、古米などの糖度の低下した米を処理することにより、糖度を増加させることができる。
【００１６】
本発明による飲料水のイオン調和装置は確実にイオン状態を改善する効能があり、野菜や果物の洗浄水として効果的に使用できる。
【００１７】
本発明による風呂水のイオン調和装置は確実にイオン状態を改善する効能があり、発汗作用を促進し、老廃物の排出が活発にできる。
【発明を実施するための最良の形態】
【００１８】
上述の課題を解決するため、本発明はマイナスイオン放電機と、その出力端に接続した複数の電極棒を含むイオン調和装置を提供できる。これらの電極棒の外周は多数の孔を有する絶縁体で覆われ、室内空間の高所にぶら下げる方式で配列されている。そして、室内の床下には１層の活性炭を敷き、マイナスイオンの反射層として、室内空気中の陽イオンのエネルギーを大幅に減少せしめて、居住環境を改善できる。なお、電極棒は室内空間の高所にぶら下げるとは、電極棒には高圧がながれるため、絶縁することが必要である。そのため、通常、室内の天井から離れて設置する。しかしながら、絶縁が十分にできれば、室内の天井に直接設置することも可能である。
【００１９】
図１は本発明による室内空間のイオン調和装置の構成を示す概略図面である。図１において、イオン調和装置は１つのマイナスイオン放電機１と、このマイナスイオン放電機１の出力端に接続された複数の電極棒体２１０で構成された電極棒２１とを含み、これら電極棒２１はマイナスイオン放電機１の出力端より一線に接続されている。電極棒２１の棒体２１０の外周は多数の孔２１１Ａを有する絶縁体２１１で覆われ、これらの孔からマイナスイオン放電機１の発生するマイナスイオンを室内空間に放出するのである。なお、電極としては、通常、電極として用いられているものであれば使用できる。例えば、活性炭やカーボンブラックを挙げることができる。
【００２０】
図２は本発明による室内空間のイオン調和装置の応用実施例を示す図面である。図２に示されるように、電極棒２１，２２，２３，２４は室内空間の高所に配置される方が望ましい。マイナスイオン放電機１は絶縁被覆された線により電極棒２１，２２，２３，２４と結ばれている。１Ａは飲料水器、１Ｂは浴用水供給器を示す。室内の床下には活性炭を含む反射層３１，３２，３３，３４が形成されている。図２において、上段の二つの部屋は室内にマイナスイオン放出する様子を示し、下段の右は飲料水を処理する様子を示し、下段の左は風呂水を処理する様子を示す。
【００２１】
部屋にマイナスイオンを放出することにより、落下細菌を減少させたり、カビ、シロアリ、ゴキブリ、その他の昆虫の繁殖を低減させたりすることができる。さらに、居住環境を良好にして疾病に対する抵抗力を強め、感冒や喘息の罹患を抑制することができる。
【００２２】
図３は本発明による室内空間のイオン調和装置の別の実施例を示す図面である。図３において、１１，１１Ａ，１２，１２Ａは活性炭を埋設している。このように、活性炭を埋設することにより、第１電位を高揚するとともに、設置抵抗を低減することができる。設置場所は、室内よりも室外に設置したほうが、効率が高い。
【００２３】
さらに本発明水の米の糖度増加用装置は、通常１台のマイナスイオン放電機と該マイナスイオン放電機の出力端に接続された電極とを含み、該電極が米を載置できる金網であることを特徴とする。
【００２４】
金網は米を載置できれば特に制限されることなく用いることができるが、ステンレス製の金網を例示できる。米は新米に対して、糖度が低下している米ならばいずれでも可能であるが、通常、古米と称される米を例示できる。米は紙袋、ポリ袋などの袋ごと金網上に載置できる。
【００２５】
また本発明の水のイオン調和装置は、通常１台のマイナスイオン放電機と該マイナスイオン放電機の出力端に接続された電極とを含み、該電極は飲料水に浸漬できるように棒状であることを特徴とする。
【００２６】
電極は、その全体が水中に没していることが好ましい。
【００２７】
電極は水に接する場合には、エボナイトまたは活性炭製であることが好ましい。水の入った容器を、碍子などを介して絶縁することにより、イオンの調和効果をより高めることができる。
【００２８】
前記イオン調和装置によって得られた水を用いて、キャベツ、白菜、大根などの野菜やりんご、なし、ぶどうなどの果物を洗浄することによって、一般生菌または大腸菌などの菌類を減少することができる。
【００２９】
また本発明の水のイオン調和装置は、通常１台のマイナスイオン放電機と該マイナスイオン放電機の出力端に接続された電極とを含み、該電極は風呂水に浸漬できるように棒状であることを特徴とする。
【００３０】
電極は、その全体が水中に没していることが好ましい。
【００３１】
電極は水に接する場合には、エボナイトまたは活性炭製であることが好ましい。風呂水の入った容器を、碍子などを介して絶縁することにより、イオンの調和効果をより高めることができる。
【００３２】
また、風呂水をマイナスイオン処理することにより、汗がよくでて、老廃物の排出が活発で疲れがよくとれるという効果をみとめることができる。マイナスイオン処理した飲料水を併用すれば、より効果的である。
【００３３】
以下、実施例によって本発明をより詳細に説明する。実施例は本発明の内容を説明するためであり、本発明を限定するものではない。
【実施例１】
【００３４】
図４はマイナスイオン放電機で処理する部屋の平面図である。図４において、それぞれの部屋は縦６メートル、横１０メートルである。左の部屋には、揚げ用器具４１、調理台４２、コンロ４３、流し台４４が配置されている。右の部屋には、販売部分１（４６）、販売部分２（４７）、まな板４８、会計部分４５が配置されている。左の部屋と右の部屋とは左の出入口２と右の部屋の出入口で結ばれている。通常、これらの部屋は鮮魚の処理用である。
【００３５】
左の部屋において、Ｅ．Ｓ．システムＬ型（株式会社電子産業）で連続処理した。落下細菌数を測定し、その結果を表１に示す。なお、検査方法は、食品衛生検査指針「微生物編」による。
【００３６】
【表１】
2005125256.tif 000003
【００３７】
処理は左の部屋だけであったが、処理の行われていない右の部屋の入口部においても、処理効果が認められた。右の部屋が左の部屋と結ばれていることから、右の部屋に入口部においても、処理効果が認められたものと考えられる。
【実施例２】
【００３８】
図５はステンレス金網上に載置された米（宮城県産の古米：プラスチック製容器に米１ｋｇ充填）をマイナスイオン放電機で処理する装置を示す模式図である。図５において、ステンレス金網５１は碍子５２で作製された絶縁台５５上に敷かれている。この金網の上にプラスチック製容器５３が載置されている。この金網５１にマイナスイオン放電機の二次側コード５４が接続されている。
【００３９】
Ｅ．Ｗ．Ｓ．システムＬ型（株式会社電子産業）によって、２４時間処理後、処理品の糖度を測定したところ、６％となっていた。対照としてマイナスイオン放電機で処理しないものを、同様の容器に充填して、同一時間保持した。対照品の糖度は４％であった。なお、検査方法は、食品衛生検査指針「理化学編」による。６％は新米に相当する数値であり、マイナスイオン処理することによって、古米の糖度が著しく向上することが認められた。
【実施例３】
【００４０】
図６は水をマイナスイオン放電機で処理する装置を示す模式図である。図６において、蓋６１付きのステンレスタンク６２のなかに、炭かご用フック６３を介して炭かご電極６４がぶら下げられている。炭かご電極６４はマイナスイオン放電機の二次側コード６５が接続されている。ステンレスタンク６２は碍子６６を介して絶縁台６７上に載置されている。炭かご電極６４には、水道水でよく洗浄し、２０分間煮沸した後、冷却した備長炭が入れられている。ステンレスタンクの蓋を開け、７０リットルの水を投入した後、Ｅ．Ｗ．Ｓ．システムＭ型（株式会社電子産業）によって、４０分間処理した。
【００４１】
この処理水を次の用法で評価した：
サンプル：ミジンカットしたキャベツ（丸キャベツを包丁でミジンカット）
テスト水：地下水、活性水（セラミックフィルター）、Ｅ．Ｗ．Ｓ．水
テスト方法：テスト水ごとに１０分間キャベツを浸漬し、４８時間４℃で冷蔵保管した後に、水分、一般細菌、大腸菌群、セレウス菌について検査測定する。その結果を表２に示す。
【００４２】
【表２】
2005125256.tif 000004
【００４３】
水分：比較対照品と有意差なし
一般生菌群：Ｅ．Ｗ．Ｓ．水の場合は地下水の場合と比較して１オーダー低かった。Ｅ．Ｗ．Ｓ．水の場合は活性水の場合と比較して約１／５であった。
【００４４】
大腸菌群：Ｅ．Ｗ．Ｓ．水の場合は活性水の場合と同じであった。
【００４５】
セレウス菌：検体自体の鮮度が良かったため、検出されなかった。
【００４６】
このように、キャベツなどの野菜の洗浄水として使用できる。
【産業上の利用可能性】
【００４７】
居住空間のイオン状態を改善する場合、水のイオン状態を改善する場合など、イオン状態を改善する分野に活用できる。
【図面の簡単な説明】
【００４８】
【図１】は本発明による室内空間のイオン調和装置の構成を示す概略図面である。
【図２】は本発明による室内空間のイオン調和装置の応用実施例を示す図面である。
【図３】は本発明による室内空間のイオン調和装置の別の実施例を示す図面である。
【図４】はマイナスイオン放電機で処理する部屋の平面図である。
【図５】はステンレス金網上に載置された米袋をマイナスイオン放電機で処理する装置を示す模式図である。
【図６】は水をマイナスイオン放電機で処理する装置を示す模式図である。
【符号の説明】
【００４９】
１      マイナスイオン放電機
２１    電極棒
２１０  電極棒体
２１１  絶縁体
２１１Ａ  孔
【図１】
2005125256.tif 000005
【図２】
2005125256.tif 000006
【図３】
2005125256.tif 000007
【図４】
2005125256.tif 000008
【図５】
2005125256.tif 000009
【図６】
2005125256.tif 000010